(57)【要約】      （修正有）【課題】本発明は、環状でファッション性を保ちながら、腹部から胸部にかけて前方に収容した幼児を両肩で保持することを可能とした環状帯とその装着方法を提供する。【解決手段】本発明に係る環状帯は、装着者が装着して、乳幼児を収容する収容帯の両端部と、該装着者の肩部に係止すると共に、胴部を周巻して固定する支持帯の両端部とをそれぞれ接続させて形成する環状帯である。収容帯は装着者の腹部に配置され、支持帯が収容帯に接続されて装着者の背面胴部から頸部までの背部を交差して延伸する背面たすき掛部と、これから延伸された２本の帯が装着者の両肩に係止された肩掛部と、装着者の腹部と収容帯間に潜入する胸当部と、腹部と収容帯間に潜入した２本の帯が腹部付近で交差されて形成された前面交差部と、これから延伸する２本の帯が形成する第３円環が、装着者をその内部に通して、装着者の胴部を周巻するベルト部と、を構成して乳幼児を保持する。【選択図】図１
2019037600.tif 000002
【特許請求の範囲】
【請求項１】
装着者が装着して、該装着者の腹部ないしは胸部に配置して乳幼児を収容する収容帯の両端部（一方の端部及び他方の端部）と、該装着者の肩部に係止すると共に、胴部を周巻して該装着者に固定する支持帯の両端部（一方側の端部及び他方側の端部）とをそれぞれ接続させて形成する環状帯であって、
前記収容帯が、前記装着者の腹部にその表面を露出して配置され、
前記支持帯は、
前記腹部に配置された前記収容帯の一方の端部に一方側の端部が接続された一方側の帯部と、該収容帯の他方の端部に他方側の端部が接続された他方側の帯部の２つの帯部が、該支持帯の両端部からの中間位置で連続した一本の帯であり、
前記２つの帯部が、前記装着者の背面胴部から頸部までの背部を交差して延伸する背面たすき掛部と、
前記背面たすき掛部から延伸された前記２本の帯部が前記装着者の頸部両側の肩に係止された肩掛部と、
前記肩掛部から延伸された前記２本の帯部が、前記装着者の胸部に当接して延伸し、該装着者の腹部と前記収容帯間に潜入する胸当部と、
前記腹部と前記収容帯間に潜入した前記２本の帯部が、該腹部付近で交差されて形成された環状のベルト部と、
を構成し、
環状の前記ベルト部が、前記装着者の頭部と両腕又は両足をその内部に通して、該装着者の胴部を周巻し、前記支持帯が前記装着者の胴部から肩部にかけて固定され、
前記乳幼児の両足を、それぞれ前記胸当部と前記ベルト部間に挿入して、該胸当部と該ベルト部を画する前記交差部（前面交差部）で前記乳幼児の臀部を支持し、該乳幼児を、前記装着者の胸部と前記胸当部との間に保持する環状帯。
【請求項２】
前記胸当部を幅方向に広げて前記乳幼児を覆って保持する、請求項１に記載の環状帯。
【請求項３】
前記装着者の胴部辺りに配置した前記収容帯を、該装着者の胸部辺りまで幅方向に大きく広げて前記胸当部上を覆って前記乳幼児を収容し得る、請求項２に記載の環状帯。
【請求項４】
前記ベルト部に結び目を設けて、該ベルト部の長さを調節した、請求項１に記載の環状帯。
【請求項５】
（１）支持帯と収容帯とが接続されて形成された環状帯を準備するステップと、
（２）前記環状帯内部に位置した装着者の腹部辺りに前記収容帯を配置し、背面胴部に支持帯を配置するステップと、
（３）前記背面胴部に配置された支持帯を交差させて背面交差部を形成し、環状帯を第１円環と第２円環とに分割形成するステップと、
（４）前記第２円環を装着者の背面から前面方向に折り返し、該第２円環の内部に前記装着者の頭部を通して、該第２円環を該装着者の肩部に係止するステップと、
（５）前記第２円環を前記装着者の足方向に引張り、前記収容帯と腹部間に潜らせるステップと、
（６）この収容帯と腹部間に潜らせた前記第２円環を、該収容帯の下方で交差させて、乳幼児の臀部を支持する前面交差部と第３円環とを形成するステップと、
（７）前記第３円環を前記前面交差部で装着者の前面から背面方向へ折り返し、該第３円環の内部に、該装着者の頭部と両腕、又は両足を通して、該装着者の胴部を周巻させるステップと、
を含む、環状帯の装着方法。
【請求項６】
さらに、
（８）乳幼児を前記装着者の胸部と第２円環間に保持し、該乳幼児の臀部を前記前面交差部で支持すると共に、該乳幼児の両足を、それぞれ前記第２円環と前記第３円環間に挿入するステップと、
（９）前記第２円環を幅方向に広げて、前記装着者の胸部と前記第２円環間に保持した前記乳幼児を被覆するステップと、
（１０）前記収容帯を幅方向に広げて、前記第２円環の上から更に前記乳幼児を被覆して該乳幼児を収容するステップと、
を含む、請求項５に記載の環状帯の装着方法。
【請求項７】
（１）支持帯と収容帯とが接続されて形成された環状帯を準備するステップと、
（１１）前記支持帯を交差させて背面交差部を形成し、前記環状帯を、該背面交差部で第１円環と第２円環とに分割するステップと、
（１２）前記第２円環を前記背面交差部で折り返し、第１円環と第２円環とを重畳させるステップと、
（１３）重畳させた前記第１円環と第２円環の内部に前記装着者の頭部を通し、該第１円環と第２円環とを該装着者の肩部に係止させるステップと、
（１４）前記第１円環の内部に前記装着者の両腕を通し、該装着者の腹部辺りに前記収容帯を配置するステップと、
（１５）前記背面交差部を、前記装着者の背面胴部上辺りに配置するステップと、
（１６）前記第２円環を下方に引張り、前記収容帯と腹部間に潜らせるステップと、
（６）この収容帯と腹部間に潜らせた前記第２円環を、該収容帯の下方で交差させて、乳幼児の臀部を支持する前面交差部と第３円環とを形成するステップと、
（７）前記第３円環を前記前面交差部で装着者の前面から背面方向へ折り返し、該第３円環の内部に、該装着者の頭部と両腕、又は両足を通して、該装着者の胴部を周巻するベルト部を形成するステップと、
を含む、環状帯の装着方法。
【請求項８】
（１）支持帯と収容帯とが接続されて形成された環状帯を準備するステップと、
（２１）支持帯を２か所で交差させて、前記収容帯から順に背面交差部と前面交差部とを形成し、前記環状帯を、該収容帯から該背面交差部までの第１円環と、該背面交差部から該前面交差部までの第２円環と、該前面交差部から先の第３円環とに分割するステップと、
（２２）前記第２円環を前記背面交差部で折り返し、第１円環と第２円環とを重畳させるステップと、
（２３）前記前面交差部及び前記第３円環を前記収容帯の下に潜らせるステップと、
（２４）前記第３円環を前記前面交差部で折り返し、該第３円環を、第１円環と第２円環とに重畳させるステップと、
（２５）重畳させた前記第１円環と前記第２円環及び前記第３円環の内部に装着者の頭部を通し、該第１円環と該第２円環及び該第３円環を該装着者の肩部に係止させるステップと、
（２６）前記第１円環と前記第３円環の内部に前記装着者の両腕を通すステップと、
（２７）前記収容帯を前記装着者の腹部辺りに、前記背面交差部を該装着者の背面胴部上辺りに、前記第３円環を該装着者の胴部辺りに、それぞれ配置するステップと、
を含む、環状帯の装着方法。
【発明の詳細な説明】
【技術分野】
【０００１】
本発明は、環状帯およびその装着方法に関する。
【背景技術】
【０００２】
特許文献１は、「乳幼児を収容し保持するための抱っこ紐」に係る発明を開示している。この抱っこ紐は、「互いに略直交するように結合した一定幅の２個の環状ベルトを有し、前記環状ベルトの結合部は略正方形状の領域として形成されるとともに、当該正方形状の領域の外周縁部における縫い合わせによって前記２個の環状ベルトを結合したものであり、前記２個の環状ベルトには、それぞれ当該環状ベルトの長さを調節するための調節具が設けられ、
前記２個の環状ベルトの交差部を起点とする当該環状ベルトの内側縁によって囲まれた領域には、下半分のみを当該内側縁に取り付け上半分を当該内側縁に取り付けない自由端として形成した布状体が取り付けられており、
当該布状体は、収容した乳幼児の背面を支えるものであって、上半分は乳幼児の後頭部を覆う大きさに形成されるとともに上端部には前記環状ベルトに設けた係合手段と着脱可能に結合する係合具が設けられている」ことを特徴としている。
【０００３】
また、特許文献２も、特許文献１と同様、交差式抱っこ紐を開示しており、「装着者の腹部及び背中側に交差部分と、両脇腹にはねじれ部分が形成されるように構成された環状の布（右）（左）と、ファスナーとスナップボタンが縫製された背当部分と、腹部交差部分腹部の辺りに縫製された折畳み形態保持用スナップボタン凹からなり、交差式折畳みを折畳んだ際には、スナップボタン凸と折畳み形態保持用スナップボタン凹とを係合させることにより、折畳まれた状態が保持」される。
【０００４】
特許文献１、２に開示されるような交差式抱っこ紐は、従来から用いられているが、金具が使用されて収納時に引っ掛かりを生じ易いなどの懸念があり、ファッション性やデザイン性も十分とはいえない。
【０００５】
特許文献３は、「円筒状の布を円筒の軸方向に円筒長の１／Ｎ幅（Ｎは２以上の整数）で均等に波折に折り重ねて、この折り重ねた周方向の一部と幅方向の全部とで作られる部分を固着して支持部とし、残余の折り重ねの部分を前記支持部の両端部を基点として展開することによって形成される凹型弧状となる面を保持部とした事を特徴とする環状体」に係る発明を開示している。この環状体は、使用者の肩に支持部を掛け、保持部で乳幼児を保持し、スリングとして使用される。
【０００６】
特許文献４は、「環状の周方向の中央部の長さ方向に対して直角方向の幅が最大幅で、その長さ方向の両端側が順次幅狭となり、かつ、前記長さ方向の両側がその長さ方向に対して弾性の少ない編み地からなり、また、前記長さ方向の中央側が少なくともその長さ方向に直角な幅方向に対する弾性の大きい編み地からなり、環状を２つに折り畳んで重ねたとき、端部中央が凸に湾曲形成され、前記長さ方向の両側が弾性の少ない編み地で形成されている幼児保持部と、
前記幼児保持部の長さ方向の両端に連続して形成された弾性の少ない編み地からなる帯状部と、
前記帯状部の両端から連続して形成された弾性の少ない編み地とその内側に形成された少なくともその長さ方向に直角な幅方向に対する弾性の大きい編み地からなり、環状の長さ方向に２つに折り畳んで重ねたとき、端部中央が凸に湾曲形成されている肩当部とを具備し、
前記幼児保持部の前記長さ方向の両側が弾性の少ない編み地はリブ編みとし、前記長さ方向の中央側の両側が弾性の大きい編み地はメッシュまたは模様を形成した天竺編み、ストレッチ天竺編み、ペア天竺編み、パール編みの何れかとし、かつ、前記幼児保持部及び前記帯状部及び前記肩当部が、単一の糸によって編成され一体に環状に編まれていることを特徴とするベビースリング」に係る発明を開示している。このベビースリングは、使用者の肩に肩当部を掛け、幼児保持部で乳幼児を保持する、環状体のスリングである。
【０００７】
これらの特許文献３、４の発明に係る環状体は、使用者はいずれも環状体の一部である肩当部（支持部）を一方の肩に掛け、幼児を保持部に収容して、前方の腹部から胸部にかけて幼児を保持する、一般的な使用方法により用いるベビースリングである。
【０００８】
【特許文献１】特開２０１２−１６１４３８号公報
【特許文献２】特開２０１５−１９１５０６号公報
【特許文献３】特許３９２８７３１号公報
【特許文献４】特許５５８３４４１号公報
【発明の概要】
【発明が解決しようとする課題】
【０００９】
このような一方のみの肩に肩当部（支持部）を係止して、保持部に収容した幼児を保持する従来のベビースリングは、一方のみの肩に負担が集中して使用者が疲労するとともに、肩当部（支持部）を係止する肩とは反対方向に保持部が大きく開いているため、幼児が落ちないか不安に感じる使用者も多い。
【００１０】
そこで、本発明は、環状でファッション性を保ちながら、腹部から胸部にかけて前方に収容した幼児を両肩で保持することを可能とした環状帯及びこの環状帯の装着方法を提供する。
【課題を解決するための手段】
【００１１】
本発明に係る環状帯は、装着者が装着して、該装着者の腹部ないしは胸部に配置して乳幼児を収容する収容帯の両端部（一方の端部及び他方の端部）と、該装着者の肩部に係止すると共に、胴部を周巻して該装着者に固定する支持帯の両端部（一方側の端部及び他方側の端部）とをそれぞれ接続させて形成する環状帯であって、
前記収容帯が、前記装着者の腹部にその表面を露出して配置され、前記支持帯は、前記腹部に配置された前記収容帯の一方の端部に一方側の端部が接続された一方側の帯部と、該収容帯の他方の端部に他方側の端部が接続された他方側の帯部の２つの帯部が、該支持帯の両端部からの中間位置で連続した一本の帯であり、前記２つの帯部が、前記装着者の背面胴部から頸部までの背部を交差して延伸する背面たすき掛部と、前記背面たすき掛部から延伸された前記２本の帯部が前記装着者の頸部両側の肩に係止された肩掛部と、前記肩掛部から延伸された前記２本の帯部が、前記装着者の胸部に当接して延伸し、該装着者の腹部と前記収容帯間に潜入する胸当部と、前記腹部と前記収容帯間に潜入した前記２本の帯部が、該腹部付近で交差されて形成された環状のベルト部と、を構成し、
環状の前記ベルト部が、前記装着者の頭部と両腕又は両足をその内部に通して、該装着者の胴部を周巻し、前記支持帯が前記装着者の胴部から肩部にかけて固定され、前記乳幼児の両足を、それぞれ前記胸当部と前記ベルト部間に挿入して、該胸当部と該ベルト部を画する前記交差部（前面交差部）で前記乳幼児の臀部を支持し、該乳幼児を、前記装着者の胸部と前記胸当部との間に保持する。
【００１２】
本発明に係る環状帯は、前記胸当部を幅方向に広げて前記乳幼児を覆って保持し得る。
【００１３】
本発明に係る環状帯は、前記装着者の胴部辺りに配置した前記収容帯を、該装着者の胸部辺りまで幅方向に大きく広げて前記胸当部上を覆って前記乳幼児を収容し得る。
【００１４】
本発明に係る環状帯は、前記ベルト部に結び目を設けて、該ベルト部の長さを調節し得る。
【００１５】
本発明に係る環状帯の装着方法は、
（１）支持帯と収容帯とが接続されて形成された環状帯を準備するステップと、
（２）前記環状帯内部に位置した装着者の腹部辺りに前記収容帯を配置し、背面胴部に支持帯を配置するステップと、
（３）前記背面胴部に配置された支持帯を交差させて背面交差部を形成し、環状帯を第１円環と第２円環とに分割形成するステップと、
（４）前記第２円環を装着者の背面から前面方向に折り返し、該第２円環の内部に前記装着者の頭部を通して、該第２円環を該装着者の肩部に係止するステップと、
（５）前記第２円環を前記装着者の足方向に引張り、前記収容帯と腹部間に潜らせるステップと、
（６）この収容帯と腹部間に潜らせた前記第２円環を、該収容帯の下方で交差させて、乳幼児の臀部を支持する前面交差部と第３円環とを形成するステップと、
（７）前記第３円環を前記前面交差部で装着者の前面から背面方向へ折り返し、該第３円環の内部に、該装着者の頭部と両腕、又は両足を通して、該装着者の胴部を周巻させるステップと、を含んでもよい。
【００１６】
本発明に係る環状帯の装着方法は、さらに、
（８）乳幼児を前記装着者の胸部と第２円環間に保持し、該乳幼児の臀部を前記前面交差部で支持すると共に、該乳幼児の両足を、それぞれ前記第２円環と前記第３円環間に挿入するステップと、
（９）前記第２円環を幅方向に広げて、前記装着者の胸部と前記第２円環間に保持した前記乳幼児を被覆するステップと、
（１０）前記収容帯を幅方向に広げて、前記第２円環の上から更に前記乳幼児を被覆して該乳幼児を収容するステップと、を含んでもよい。
【００１７】
本発明に係る環状帯の装着方法は、
（１）支持帯と収容帯とが接続されて形成された環状帯を準備するステップと、
（１１）前記支持帯を交差させて背面交差部を形成し、前記環状帯を、該背面交差部で第１円環と第２円環とに分割するステップと、
（１２）前記第２円環を前記背面交差部で折り返し、第１円環と第２円環とを重畳させるステップと、
（１３）重畳させた前記第１円環と第２円環の内部に前記装着者の頭部を通し、該第１円環と第２円環とを該装着者の肩部に係止させるステップと、
（１４）前記第１円環の内部に前記装着者の両腕を通し、該装着者の腹部辺りに前記収容帯を配置するステップと、
（１５）前記背面交差部を、前記装着者の背面胴部上辺りに配置するステップと、
（１６）前記第２円環を下方に引張り、前記収容帯と腹部間に潜らせるステップと、
（６）この収容帯と腹部間に潜らせた前記第２円環を、該収容帯の下方で交差させて、乳幼児の臀部を支持する前面交差部と第３円環とを形成するステップと、
（７）前記第３円環を前記前面交差部で装着者の前面から背面方向へ折り返し、該第３円環の内部に、該装着者の頭部と両腕、又は両足を通して、該装着者の胴部を周巻するベルト部を形成するステップと、を含んでもよい。
【００１８】
本発明に係る環状帯の装着方法は、
（１）支持帯と収容帯とが接続されて形成された環状帯を準備するステップと、
（２１）支持帯を２か所で交差させて、前記収容帯から順に背面交差部と前面交差部とを形成し、前記環状帯を、該収容帯から該背面交差部までの第１円環と、該背面交差部から該前面交差部までの第２円環と、該前面交差部から先の第３円環とに分割するステップと、
（２２）前記第２円環を前記背面交差部で折り返し、第１円環と第２円環とを重畳させるステップと、
（２３）前記前面交差部及び前記第３円環を前記収容帯の下に潜らせるステップと、
（２４）前記第３円環を前記前面交差部で折り返し、該第３円環を、第１円環と第２円環とに重畳させるステップと、
（２５）重畳させた前記第１円環と前記第２円環及び前記第３円環の内部に装着者の頭部を通し、該第１円環と該第２円環及び該第３円環を該装着者の肩部に係止させるステップと、
（２６）前記第１円環と前記第３円環の内部に前記装着者の両腕を通すステップと、
（２７）前記収容帯を前記装着者の腹部辺りに、前記背面交差部を該装着者の背面胴部上辺りに、前記第３円環を該装着者の胴部辺りに、それぞれ配置するステップと、
を含んでもよい。
【発明の効果】
【００１９】
本発明に係る環状帯の装着方法を用いて本発明の環状帯を装着することにより、装着者は環状帯の肩掛部を両肩に係止すると共に、そのベルト部を胴回りに周巻して身体に固定し、乳幼児を対面させて腹部から胸部にかけて前方に抱っこすることができる。
【００２０】
乳幼児を環状帯の２本の胸当部と装着者の胸部間に入れ、乳幼児の臀部を当該２本の胸当部の交差部（前面交差部）で支持し、この前面交差部に接続されたベルト部と上記２本の胸当部間に、乳幼児の両足を挿入するので、乳幼児の下半身を安定して支持することができる。
【００２１】
また、上記２本の胸当部と装着者の胸部間に抱いた乳幼児の上から、当該２本の胸当部を幅方向に広げて乳幼児を覆うことができ、乳幼児の上半身も安定して保持することができる。さらに、装着者の前面腹部辺りに配置した収容帯を幅方向に広げて、上記２本の胸当部及び乳幼児の上から被覆することができ、安全に乳幼児を抱っこすることができる。
【００２２】
従来のような、片方の肩で支持するベビースリングと異なり、両肩に支持帯（環状帯）を係止させて乳幼児を前方に保持するので、抱っこする装着者の疲労を軽減することができる。また、乳幼児の上から、上記２本の胸当部と収容帯を幅方向に広げて２重に乳幼児を収容でき、寒さや危険から乳幼児を安全に保護することができる。
【００２３】
本発明に係る環状帯は、環状で形状がシンプルであるので、容易に折畳んでバッグなどに収納することができる。また、環状帯を構成する収容帯や支持帯の生地や色彩、模様などを自由に選択して組合せ、ファッション性を高めることができる。また、構造がシンプルなので、簡単に低コストで製造することができる。  
【００２４】
本発明に係る環状帯は、至って単純な環状の帯であるが、本発明に係る環状帯の装着方法を用いて装着することにより、上述のような優れた保持性や安全性を奏することができる。本発明の環状帯の装着方法にはいくつかのバリエーションがあり得るが、いずれの方法を用いても同様に本発明の環状帯を装着することができる。
【図面の簡単な説明】
【００２５】
【図１】装着者３が装着した本発明に係る環状帯の正面模式図。
【図２】本発明に係る環状帯を装着者３が装着した際の、当該環状帯の構成要素の配置状況を表す正面模式図。
【図３】（ａ）本発明に係る環状帯を装着して、乳幼児１００を胸当て（第２円環）で支持した装着者３の正面図、（ｂ）本発明に係る環状帯を装着して、乳幼児１００を収容帯（第１円環）に収容した装着者３の正面図、（ｃ）図（ａ）に対応する、本発明に係る環状帯の装着者３の背面図、（ｄ）図（ｂ）に対応する、本発明に係る環状帯の装着者３の背面図。
【図４】（ａ）本発明に係る環状帯の斜視図、（ｂ）本発明に係る環状帯のＡ−Ａ線断面図。
【図５】（ａ）環状帯内部に位置した装着者３の腹部３Ｓｔ辺りに収容帯を配置し、背面胴部に支持帯を配置した、本発明に係る環状帯の模式図、（ｂ）背面胴部３Ｂｏに配置された支持帯を交差させて背面交差部を形成し、環状帯を第１円環と第２円環とに分割した、本発明に係る環状帯の模式図、（ｃ）第２円環を装着者３の背面から前面方向に折り返し、第２円環の内部に装着者３の頭部３Ｈｅａｄを通して、第２円環を装着者３の肩部３Ｓｈ（３ＳｈＲ、３ＳｈＬ）に係止した、本発明に係る環状帯の模式図、（ｄ）第２円環を装着者３の足３Ｆ（３ＦＲ、３ＦＬ）方向に引張り、収容帯の下（収容帯と腹部３Ｓｔ間）に潜らせた、本発明に係る環状帯の模式図、（ｅ）この収容帯と腹部３Ｓｔ間に潜らせた第２円環を、収容帯の下方で交差させて、乳幼児１００の臀部を支持する前面交差部と第３円環とを形成した、本発明に係る環状帯の模式図、（ｆ）第３円環を前面交差部で装着者３の前面から背面方向へ折り返し、第３円環の内部に、装着者３の頭部３Ｈｅａｄと両腕３Ｈ（３ＨＲ、３ＨＬ）、又は両足３Ｆ（３ＦＲ、３ＦＬ）を通して、装着者３の胴部３Ｂｏを周巻させた、本発明に係る環状帯の模式図。
【図６】（ａ）背面交差部を設けて第１円環と第２円環とに分割された本発明に係る環状帯の平面模式図、（ｂ）第２円環を背面交差部で折り返して第１円環に重畳し、その裏面を露出させた、本発明に係る環状帯の平面模式図、（ｃ）重畳した第１円環と第２円環を、装着者３の首部に掛け、肩部に係止させた、本発明に係る環状帯の斜視模式図、（ｄ）第１円環に両腕を通した、本発明に係る環状帯の斜視模式図、（ｅ）背面交差部を装着者３の背面胴部辺りに配置した、本発明に係る環状帯の斜視模式図、（ｆ）第２円環を収容帯の下（収容帯と腹部３Ｓｔ間）に潜らせた、本発明に係る環状帯の斜視模式図、（ｇ）この収容帯と腹部３Ｓｔ間に潜らせた第２円環を、収容帯の下方で交差させて、乳幼児１００の臀部を支持する前面交差部と第３円環とを形成した、本発明に係る環状帯の斜視模式図、（ｈ）第３円環を前面交差部で装着者３の前面から背面方向へ折り返し、第３円環の内部に、装着者３の頭部３Ｈｅａｄと両腕３Ｈ（３ＨＲ、３ＨＬ）、又は両足３Ｆ（３ＦＲ、３ＦＬ）を通して、装着者３の胴部３Ｂｏを周巻させた、本発明に係る環状帯の斜視模式図。
【図７（ａ）】本発明に係る環状帯の平面模式図。
【図７（ｂ）】２つの交差部（背面交差部、前面交差部）を設けて第１円環〜第３円環に分割された本発明に係る環状帯の平面模式図。
【図７（ｃ）】第２円環及び第３円環を背面交差部で折り返してその裏面を露出させ、前面交差部と第３円環を収容帯の下に潜らせた、本発明に係る環状帯の平面模式図。
【図７（ｄ）】裏面を露出させた第３円環を前面交差部で折り返して第１円環及び第２円環に重畳させ、その表面を露出させた、本発明に係る環状帯の平面模式図。
【図７（ｅ）】第１円環、第２円環、第３円環を重畳させた、本発明に係る環状帯の平面模式図。
【図８】（ａ）装着者３の各部位を示した正面模式図、（ｂ）装着者３の各部位を示した背面模式図。
【発明を実施するための形態】
【００２６】
以下、図面を参照しながら本発明に係る環状帯の実施形態及び実施例について説明する。なお、以下各図面を通して同一の構成要素には同一の符号を使用するものとする。
【００２７】
［環状帯］
本発明に係る環状帯１は、図１、図３（ａ）〜（ｄ）のように装着者３が装着して、この装着者３の腹部３Ｓｔないしは胸部３Ｃに配置して乳幼児１００を収容する収容帯１０の両端部（一方の端部及び他方の端部）と、装着者３の肩部３Ｓｈ（３ＳｈＲ、３ＳｈＬ）に係止すると共に、胴部３Ｂｏを周巻して装着者３に固定する支持帯２０の両端部（一方側の端部及び他方側の端部）とをそれぞれ接続させた、図４（ａ）、図７（ａ）に示すような環状帯１である。
【００２８】
ここで図７（ａ）は、図４（ａ）に示す環状帯１を、説明の便宜のため模式的に表した線図であり、同様に図１も、図３（ａ）〜（ｄ）に示すような装着者３が装着した環状帯１を模式的に表した線図である。なお、図８（ａ）、（ｂ）は、装着者３の身体の各部位の符号を示しており、以下、装着者３にとっての上下前後左右を、「上」「下」「前」「後」「左」「右」として表記する。
【００２９】
環状帯１は、図４（ａ）、（ｂ）に示すように、周方向と幅方向と厚さ方向を有し、その表面と裏面とは、周方向の上下の端部（上端部、下端部）により画定され、それぞれの面は単純に連結されている。強度を保つため、支持帯２０は生地を重ねて形成するのが好ましく、図４（ｂ）のように生地を輪状に連結して形成してもよい。
【００３０】
支持帯２０に用いる生地は、周方向には伸縮性がほとんどなく、幅方向にのみ伸縮する天竺編み、フライス編み、スムース編み等のニットなどが好ましく、周方向の長さは２．５ｍ〜４ｍ、幅方向の長さは３５ｃｍ〜５０ｃｍ程度が好ましいが、これらの生地の種類や寸法は特に限定されない。また、収容帯１０は全く伸縮しない生地、例えばツイル、オックス、レース、プリペラ、シーチング、ブロード等で形成し、幅方向の長さを支持帯２０の幅方向の長さより長め（４０ｃｍ〜７０ｃｍ）、周方向の長さを３０ｃｍ〜６０ｃｍ程度とするのが好ましいが、これらの生地の種類や寸法も特に限定されない。
【００３１】
このような環状帯１を、図１のように装着者３が装着すると、装着者３は、図３（ａ）〜（ｄ）のように乳幼児１００をその胸部３Ｃに収容することができる。収容帯１０は、装着者３の腹部３Ｓｔないしは胸部３Ｃにその表面を露出して配置され、乳幼児１００を収容する（図３（ａ）、（ｂ））。
【００３２】
また、支持帯２０は、この腹部３Ｓｔに配置された収容帯１０の一方の端部に一方側の端部が接続された一方側の帯部と、収容帯１０の他方の端部に他方側の端部が接続された他方側の帯部の、便宜上分けた２つの帯部（一方側の帯部、他方側の帯部）が、支持帯２０の両端部からの中間位置で連続した一本の帯とみることができる。そして、装着者３に装着されて、図１又は図２のように、背面たすき掛部２２、肩掛部２４（２４Ｒ、２４Ｌ）、胸当部２６（２６Ｒ、２６Ｌ）、ベルト部２８の４構成要素に便宜的に分解することができる。図１又は図２から分かるように、背面たすき掛部２２は背面交差部１２で支持帯２０の一方側の帯部と他方側の帯部が交差して形成され、ベルト部２８は前面交差部１４で一方側の帯部と他方側の帯部（支持帯２０）が交差して形成される。
【００３３】
そして、図１に示すように、収容帯１０の両端部（一方の端部及び他方の端部）に一方側の帯部及び他方側の帯部が接続された支持帯２０は、装着者３の背部３Ｂａで交差（背面交差部１２）するとともに、装着者３の前方に折り返されて両側の肩部３Ｓｈ（３ＳｈＲ、３ＳｈＬ）に係止され、腹部３Ｓｔで収容帯１０を潜って再度交差し（前面交差部１４）、胴部３Ｂｏを周巻して装着者３に固定される。
【００３４】
以上、装着者３に装着された状態の環状帯１についてその概要を説明したが、図７（ａ）〜図７（ｅ）は、この装着によって、図７（ａ）に模式的に表す単純な円環状である環状帯１の形状が遷移する際の遷移図を表している。
【００３５】
すなわち、図７（ａ）は上記のように環状帯１を模式的に表した平面図であり、図７（ａ）の平面図において環状帯１を表す円環は当該円環の表面を露出しているとし、当該円環の裏面とは図７（ａ）の紙面の裏側から環状帯１を見た面であるとする。環状帯１を装着者３に装着する際は、図７（ｂ）に示すように、２つの交差部（背面交差部１２及び前面交差部１４）を作ることにより、３つの円環（第１円環１１、第２円環１３、第３円環１５）が生成される。図７（ｃ）〜図７（ｅ）は、装着者３が図１のように環状帯１を装着する際の、図７（ａ）、図７（ｂ）に示す環状帯１の遷移図であり、図７(ｃ)は第２円環１３及び第３円環１５を背面交差部１２で折り返してその裏面を露出させ、第３円環１５を収容帯１０の下に潜らせた平面模式図、図７（ｄ）は裏面を露出させた第３円環１５を前面交差部１４で折り返してその表面を露出させた平面模式図、図７（ｅ）は図７（ｄ）の環状帯１の変形であり、第１円環１１、第２円環１３、第３円環１５を重畳させた環状帯１の平面模式図である。
【００３６】
以下、図１又は図２と図７（ｂ）〜図７（ｅ）とを対比させて、環状帯１の上記４構成要素（背面たすき掛部２２、肩掛部２４、胸当部２６、ベルト部２８）について説明する。
【００３７】
環状帯１において、背面たすき掛部２２は、収容帯１０の一方の端部に支持帯２０の一方側の端部が接続された一方側の帯部と、収容帯１０の他方の端部に支持帯２０の他方側の端部が接続された他方側の帯部の、上述した支持帯２０を構成する２つの帯部が、装着者３の胴部３Ｂｏの背面（以下、「背面胴部（３Ｂｏ）」ともいう）から頸部３Ｎまでの背部３Ｂａを、交差して延伸する。この背面たすき掛部２２は、図７（ｂ）〜図７（ｅ）において、第１円環１１と第２円環１３の第１円環１１側の一部に対応する（図７（ｂ）参照）。そして、この背面たすき掛部２２の交差する部分が背面交差部１２（図１、図２参照）であり、図７（ｂ）〜図７（ｅ）において第１円環１１及び第２円環１３の交差部に対応する。
【００３８】
次に、図１及び図２に示す肩掛部２４（２４Ｒ、２４Ｌ）は、背面たすき掛部２２から延伸された支持帯２０の２本の帯部（一方の帯部及び他方の帯部）が、図７（ｃ）のように前方に折り返されて、図１や図８に示すように装着者３の頸部３Ｎ両側の肩部３Ｓｈ（３ＳｈＲ、３ＳｈＬ）に係止される部分である。この肩掛部２４（２４Ｒ、２４Ｌ）は、図７（ｂ）〜図７（ｅ）において、第２円環１３の一部に対応し、背面たすき掛部２２の端部に隣接する（図７（ｂ）参照）。
【００３９】
また、図１及び図２に示す胸当部２６（２６Ｒ、２６Ｌ）は、肩掛部２４（２４Ｒ、２４Ｌ）で折り返された支持帯２０の２本の帯部（一方の帯部及び他方の帯部）が、装着者３の胸部３Ｃに当接して延伸し、図７（ｃ）のように収容帯１０間に潜入するまでの部分に相当する。この２本の胸当部２６（２６Ｒ、２６Ｌ）が張る平面は、図７（ｂ）に示す第２円環１３の裏面に相当し、胸当部２６（２６Ｒ、２６Ｌ）を構成する２本の帯部（一方の帯部及び他方の帯部）は、図１のように腹部３Ｓｔと収容帯１０間に潜入し、図７（ｃ）のように前面交差部１４で交差して第３円環１５の裏面を形成する。
【００４０】
この第３円環１５に対応する環状のベルト部２８（図７（ｂ）参照）は、この腹部３Ｓｔと収容帯１０間に潜入した２本の帯部（支持帯２０）が、当該腹部３Ｓｔ付近あるいはその下辺りで交差（前面交差部１４）されて形成される。そして、ベルト部２８が、装着者３の頭部３Ｈｅａｄと両腕３Ｈ（３ＨＲ、３ＨＬ）又は両足３Ｆ（３ＦＲ、３ＦＬ）をその内部（第３円環１５の内部）に通して、装着者３の胴部３Ｂｏを周巻し、支持帯２０が装着者３の胴部３Ｂｏから肩部３Ｓｈ（３ＳｈＲ、３ＳｈＬ）にかけて固定される。
【００４１】
上記のように、ベルト部２８（第３円環１５）は、この前面交差部１４で折り返されて、図７（ｄ）及び図７（ｅ）のように、その表面を平面上方向（図７（ａ）〜図７（ｅ）において紙面裏から表に向かう方向）に露出する。したがって、図７（ｄ）及び図７（ｅ）は、図７（ｂ）に示す３つの円環（第１円環１１、第２円環１３、第３円環１５）が、２つの交差部（背面交差部１２及び前面交差部１４）で順に折り返されて重ねられた状態の平面図であり、第１円環１１と第３円環１５は表面を、第２円環１３は裏面を平面上方向に露出している。そして装着者３は、この重ねた３つの円環全てを頭から被り、あるいは足から履いて胴体３Ｂｏに巻き付け、第２円環１３の肩掛部２４（２４Ｒ、２４Ｌ）を肩部３Ｓｈ（３ＳｈＲ、３ＳｈＬ）に係止して図１のように装着することができる。
【００４２】
本発明に係る環状帯１は、以上のように装着者３に装着され、ベルト部２８を適度に締めて、胴部Ｂｏの背部側でベルト部２８を構成する２本の帯部（一方の帯部及び他方の帯部）を結ぶなどしてその長さを調節し、上記のように胴部Ｂｏから肩部３Ｓｈ（３ＳｈＲ、３ＳｈＬ）にかけて装着者３に固定することができる。
【００４３】
このように装着者３に固定した本発明に係る環状帯１は、その前面交差部１４により、装着者３に対面させた乳幼児１００の臀部付近を支持するようにして、乳幼児１００を抱っこすることができる。すなわち、乳幼児１００の両足を、それぞれ胸当部２６Ｒとベルト部２８間、及び胸当部２６Ｌとベルト部２８間に挿入し（図１参照）、図３（ａ）のように胸当部２６（２６Ｒ、２６Ｌ）を幅方向に広げて乳幼児１００を覆って保持する。そして、図３（ｂ）のように、胴部Ｂｏ辺りに配置した収容帯１０を、胸部３Ｃ辺りまで幅方向に大きく広げて胸当部２６（２６Ｒ、２６Ｌ）上を覆って乳幼児１００を収容することができる。
【００４４】
ここで、図３（ａ）の状態における装着者３の背部では、図３（ｃ）のように環状帯１の背面たすき掛部２２（２２Ｒ、２２Ｌ）は幅狭であるが、図３（ｂ）のように収容帯１０を幅方向に大きく広げると、収容帯１０と端部同士が接続された背面たすき掛部２２（２２Ｒ、２２Ｌ）も図３（ｄ）のように幅方向に広がる。なお、図３（ｃ）、図３（ｄ）において、ベルト部２８に結び目２９を設けて、上述のようにベルト部２８の長さを調節している。結び目２９は、２本の帯部（一方の帯部及び他方の帯部）を単純に結んで形成することができるが、留め具などを用いてベルト部２８の長さを調節してもよい。
【００４５】
以上のように、本発明に係る環状帯１は、前面交差部１４で臀部を支持する乳幼児１００を、装着者３の胸部３Ｃと肩掛部２４（２４Ｒ、２４Ｌ）との間に保持し、収容帯１０で更にその上から被覆して乳幼児１００を収容することができる。
［環状帯の製造方法］
【００４６】
上述のように、本発明に係る環状帯１は、収容帯１０の両端部（一方の端部及び他方の端部）と支持帯２０の両端部（一方側の端部及び他方側の端部）とをそれぞれ接続させて形成する。具体的には、収容帯１０の生地両端部と支持帯２０の生地両端部とを縫い合わせて製造することができる。
【００４７】
上記のように、収容帯１０は、ツイル、オックス、レース、プリペラ、シーチング、ブロード等の全く伸縮しない生地を用いるのが好ましい。収容帯１０の模様や柄、色などを自由に選択して、収容帯１０のファッション性を高めることができる。支持帯２０の胸当部２６（２６Ｒ、２６Ｌ）で保持した乳幼児１００を、胸当部２６の上から十分に乳幼児１００を覆って収容できるように、収容帯１０の幅方向の長さ及び周方向の長さを、それぞれ４０ｃｍ〜７０ｃｍ及び３０ｃｍ〜６０ｃｍ程度とするのが好ましいが、これらの生地の種類や寸法は特に限定されない。
【００４８】
また、支持帯２０に用いる生地は、天竺編み、フライス編み、スムース編みのニットなどの、周方向には伸縮性がほとんどないが、幅方向にのみ伸縮する素材が好ましい。安全性確保のため、これらの生地を二重以上に重ね合わせて支持帯２０を形成するのが望ましいが、図４（ｂ）のような断面輪状に仕上げられたニット生地を用いれば、二重以上の生地を端部で縫い合わせる手間が省けて好適である。上記のように、支持帯２０の周方向の長さ及び幅方向の長さは、それぞれ２．５ｍ〜４ｍ及び３５ｃｍ〜５０ｃｍ程度が好ましいが、支持帯２０の生地の種類や寸法は特に限定されない。
［環状帯の装着方法］
【００４９】
次に、本発明に係る環状帯１の装着方法について説明する。
【００５０】
模式的に図７（ａ）に表わす環状帯１は、以下のようなステップで装着者３に装着される。すなわち、本発明に係る環状帯１の装着方法は、以下の（ステップ１）〜（ステップ７）を含む。
（ステップ１）支持帯２０と収容帯１０とが接続されて形成された、表面と裏面とを周方向の上下の端部が画定する環状帯１を準備するステップ（図７（ａ）参照）
（ステップ２）環状帯１内部に位置した装着者３の腹部３Ｓｔ辺りに収容帯１０を配置し、胴部３Ｂｏの背面に支持帯２０を配置するステップ（図５（ａ）参照）
（ステップ３）胴部３Ｂｏの背面に配置された支持帯２０を交差させて背面交差部１２を形成し、環状帯１を第１円環１１と第２円環１３とに分割するステップ（図５（ｂ）参照）
（ステップ４）第２円環１３を装着者３の背面から前面方向に折り返し、第２円環１３の内部に装着者３の頭部３Ｈｅａｄを通して、第２円環１３を装着者３の肩部３Ｓｈ（３ＳｈＲ、３ＳｈＬ）に係止するステップ（図５（ｃ）参照）
（ステップ５）第２円環１３を装着者３の足３Ｆ（３ＦＲ、３ＦＬ）方向に引張り、収容帯１０の下（収容帯１０と腹部３Ｓｔ間）に潜らせるステップ（図５（ｄ）参照）
（ステップ６）この収容帯１０と腹部３Ｓｔ間に潜らせた第２円環１３を、収容帯１０の下方で交差させて、乳幼児１００の臀部を支持する前面交差部１４と第３円環１５とを形成するステップ（図５（ｅ）参照）
（ステップ７）第３円環１５を前面交差部１４で装着者３の前面から背面方向へ折り返し、第３円環１５の内部に、装着者３の頭部３Ｈｅａｄと両腕３Ｈ（３ＨＲ、３ＨＬ）、又は両足３Ｆ（３ＦＲ、３ＦＬ）を通して、装着者３の胴部３Ｂｏを周巻させるステップ（図５（ｆ）参照）
【００５１】
このように、環状帯１内部に装着者３が入って、上記（ステップ１）〜（ステップ７）を実行することにより、装着者３は図５（ｆ）のように環状帯１を装着することができ、図１に示すような、本発明に係る環状帯１を装着者３が装着した正面模式図を再現することができる。
【００５２】
さらに、本発明に係る環状帯１の装着方法は、次の（ステップ８）〜（ステップ１０）を含み、乳幼児１００を装着者３に対面させた格好で、環状帯１により装着者３の胸部３Ｃに抱っこすることができる。
（ステップ８）乳幼児１００を装着者３の胸部３Ｃと第２円環１３間に保持し、乳幼児１００の臀部を前面交差部１４で支持すると共に、乳幼児１００の両足を、それぞれ第２円環１３と第３円環１５間に挿入するステップ
（ステップ９）第２円環１３を幅方向に広げて、装着者３の胸部３Ｃと第２円環１３間に保持した乳幼児１００を被覆するステップ（図３（ａ）参照）
（ステップ１０）収容帯１０を幅方向に広げて、第２円環１３の上から更に乳幼児１００を被覆して乳幼児１００を収容するステップ（図３（ｂ）参照）
【００５３】
以上のような（ステップ１）〜（ステップ１０）の装着方法で、本発明に係る環状帯１を装着者３に装着すれば、上記（ステップ９）や（ステップ１０）で環状帯１（第２円環１３や収容帯１０）をスムーズに幅方向に広げることができ、乳幼児１００をしっかりと覆い易くなる。ただし、本発明に係る環状帯１の装着方法には、その他にもいくつかのバリエーションがあるので、実施例を用いてその他の環状帯１の装着方法について説明する。
【実施例１】
【００５４】
実施例１に係る本発明の環状帯１の装着方法は、図６（ａ）〜図６（ｈ）を参照して、
（ステップ１）支持帯２０と収容帯１０とが接続されて形成された、表面と裏面とを周方向の上下の端部が画定する環状帯１を準備するステップと（図７（ａ）参照）、
（ステップ１１）支持帯２０を交差させて背面交差部１２を形成し、環状帯１を、背面交差部１２で第１円環１１と第２円環１３とに分割するステップと（図６（ａ）参照）、
（ステップ１２）第２円環１３を背面交差部１２で折り返し、第１円環１１と第２円環１３とを重畳させるステップと（図６（ｂ）参照）、
（ステップ１３）重畳させた第１円環１１と第２円環１３の内部に装着者３の頭部３Ｈｅａｄを通し、第１円環１１と第２円環１３とを装着者３の肩部３Ｓｈ（３ＳｈＲ、３ＳｈＬ）に係止させるステップと（図６（ｃ）参照）、
（ステップ１４）第１円環１１の内部に装着者３の両腕３ＨＲ、３ＨＬを通し、装着者３の腹部３Ｓｔ辺りに収容帯１０を配置するステップと（図６（ｄ）参照）、
（ステップ１５）背面交差部１２を、装着者３の背面胴部３Ｂｏ上辺りに配置するステップと（図６（ｅ）参照）、
（ステップ１６）第２円環１３を下方に引張り、収容帯１０と腹部３Ｓｔ間に潜らせるステップと（図６（ｆ）参照）、
（ステップ６）この収容帯１０と腹部３Ｓｔ間に潜らせた第２円環１３を、収容帯１０の下方で交差させて、乳幼児１００の臀部を支持する前面交差部１４と第３円環１５とを形成するステップと（図６（ｇ）参照）、
（ステップ７）第３円環１５を前面交差部１４で装着者３の前面から背面方向へ折り返し、第３円環１５の内部に、装着者３の頭部３Ｈｅａｄと両腕３ＨＲ、３ＨＬ、又は両足３ＦＲ、３ＦＬを通して、装着者３の胴部３Ｂｏを周巻するベルト部２８を形成するステップ（図６（ｈ）参照）と、
を含む。
【００５５】
このような実施例１に係る装着方法を実行しても、図６（ｈ）のように、上記（ステップ１）〜（ステップ７）により装着した図５（ｆ）あるいは図１と同様に、装着者３は環状帯１を装着することができる。また、上記（ステップ８）〜（ステップ１０）を実行し、乳幼児１００を対面させて装着者３の胸部３Ｃに抱っこすることができる。
【実施例２】
【００５６】
次に、実施例２に係る本発明の環状帯１の装着方法は、
（ステップ１）図７（ａ）のように、支持帯２０と収容帯１０とが接続されて形成された、表面と裏面とを周方向の上下の端部が画定する環状帯１を準備するステップと、
（ステップ２１）図７（ｂ）のように、支持帯２０を２か所で交差させて、収容帯１０から順に背面交差部１２と前面交差部１４とを形成し、環状帯１を、収容帯１０から背面交差部１２までの第１円環１１と、背面交差部１２から前面交差部１４までの第２円環１３と、前面交差部１４から先の第３円環１５とに分割するステップと、
（ステップ２２）第２円環１３を背面交差部１２で折り返し、第１円環１１と第２円環１３とを重畳させるステップと（図７（ｃ）参照）、
（ステップ２３）図７（ｃ）のように、前面交差部１４及び第３円環１５を収容帯１０の下に潜らせるステップと、
（ステップ２４）図７（ｄ）又は図７（ｅ）のように、第３円環１５を前面交差部１４で折り返し、第３円環１５を、第１円環１１と第２円環１３とに重畳させるステップと、
（ステップ２５）重畳させた第１円環１１と第２円環１３及び第３円環１５の内部に装着者３の頭部３Ｈｅａｄを通し、第１円環１１と第２円環１３及び第３円環１５を装着者３の肩部３Ｓｈ（３ＳｈＲ、３ＳｈＬ）に係止させるステップと、
（ステップ２６）第１円環１１と第３円環１５の内部に装着者３の両腕３ＨＲ、３ＨＬを通すステップと（図６（ｈ）、図５（ｆ）参照）、
（ステップ２７）図６（ｈ）又は図５（ｆ）のように、収容帯１０を装着者３の腹部３Ｓｔ辺りに、背面交差部１２を装着者３の背面胴部３Ｂｏ上辺りに、第３円環１５を装着者３の胴部３Ｂｏ辺りに、それぞれ配置するステップと、
を含む。
【００５７】
このような実施例２に係る装着方法を実行しても、図６（ｈ）のように、上記（ステップ１）〜（ステップ７）により装着した図５（ｆ）あるいは図１と同様に、装着者３は環状帯１を装着することができる。また、上記（ステップ８）〜（ステップ１０）を実行し、乳幼児１００を対面させて装着者３の胸部３Ｃに抱っこすることができる。
【００５８】
以上、本発明に係る環状帯およびこの装着方法について説明したが、本発明は上記実施形態及び実施例に限定されるものではない。
【００５９】
その他、本発明は、その主旨を逸脱しない範囲で当業者の知識に基づき種々の改良、修正、変更を加えた態様で実施できるものである。
【産業上の利用可能性】
【００６０】
本発明に係る環状帯は、乳幼児を対面させて抱っこし、装着者の胸部に収容するベビースリングとして用いることができる。
【符号の説明】
【００６１】
１：環状帯
３：装着者
３Ｈｅａｄ：頭部
３Ｎ：頸部
３Ｓｈ（３ＳｈＲ、３ＳｈＬ）：（右、左）肩部
３Ｂo：胴部
３Ｃ：胸部
３Ｓｔ：腹部
３Ｂａ：背部
３Ｈ（３ＨＲ、３ＨＬ）：（右、左）腕
３Ｆ（３ＦＲ、３ＦＬ）：（右、左）足
１０： 収容帯
１１：第１円環
１２：背面交差部
１３：第２円環
１４：前面交差部
１５：第３円環
２０：支持帯（２本の帯部（一方の帯部及び他方の帯部））
２２（２２Ｒ、２２Ｌ）：（右、左）背面たすき掛部
２４（２４Ｒ、２４Ｌ）：（右、左）肩掛部
２６（２６Ｒ、２６Ｌ）：（右、左）胸当部
２８：ベルト部
２９：結び目
１００：乳幼児
【図１】
2019037600.tif 000003
【図２】
2019037600.tif 000004
【図３】
2019037600.tif 000005
【図４】
2019037600.tif 000006
【図５】
2019037600.tif 000007
【図６】
2019037600.tif 000008
【図７（ａ）】
2019037600.tif 000009
【図７（ｂ）】
2019037600.tif 000010
【図７（ｃ）】
2019037600.tif 000011
【図７（ｄ）】
2019037600.tif 000012
【図７（ｅ）】
2019037600.tif 000013
【図８】
2019037600.tif 000014